(57)【特許請求の範囲】
【請求項１】
ワークを少なくとも一対のダイスによって挟圧して塑性変形させる転造加工装置であって、
基台と、
前記一対のダイスと、
を備え、前記基台に前記一対のダイスが取り付けられて、前記基台に前記一対のダイスが保持されており、
前記一対のダイスのうち、少なくとも一方には、前記ワークを挟圧する方向である挟圧方向に交わる第一の面が形成されており、
前記基台には、前記一対のダイスが保持された保持状態で前記第一の面に対向する第二の面が形成されており、
前記保持状態で、第一の面と前記第二の面との間には、イソシアネート成分とポリアミン成分とを含む樹脂からなるシート部が介在してなり、
前記挟圧方向に交わる方向に沿って一対のダイスが互いに相対移動するものであり、
前記基台は、所定の設置面に載置される固定側基台部と、前記固定側基台部に対して片持ち状に支持されて往復移動する移動側基台部とを備え、
前記一対のダイスは、前記固定側基台部に取り付けられた固定ダイスと、前記移動側基台部に取り付けられた移動ダイスと、からなり、前記固定ダイスの表面および前記移動ダイスの表面には各々転造面が形成され、かつ各転造面が対向しており、前記ワークが前記転造面間に挟持され、前記ワークが挟圧されつつ前記移動ダイスが前記転造面に沿って移動するものであり、
前記固定ダイスは、別部材である板状部材からなるライナーを介して前記固定側基台部に取り付けられており、
さらに前記固定ダイスにおいて前記転造面と平行な裏面が前記第一の面とされ、前記固定ダイスの裏面と対向する前記ライナーの受け面が前記第二の面とされ、前記裏面と前記受け面との間に前記シート部が介在して、当該固定ダイスと当該ライナーと当該シート部とが互いに重なり合うように配置されてなる
ことを特徴とする転造加工装置。
【請求項２】
前記シート部のシート厚が２ｍｍ以上４ｍｍ以下である
請求項１に記載の転造加工装置。
【発明の詳細な説明】
【技術分野】
【０００１】
本発明は、ワークを塑性変形して転造加工する転造加工装置に関する。
【背景技術】
【０００２】
例えば特許文献１には、高硬度の材料からなるボルトや雄ネジを塑性変形することによって加工する加工装置が開示されている。
【０００３】
かかる構成にあっては、ダイスに亀裂や局部破壊が生じにくい構成を採用しており、ダイスの長寿命化を図っている。
【０００４】
また、特に近年、自動車等の軽量化が進んでおり、それらに用いられるボルトとしては、硬度が高い熱処理ボルトの需要が増加している。
【先行技術文献】
【特許文献】
【０００５】
【特許文献１】特開２００５−２８８４５６号公報
【発明の概要】
【発明が解決しようとする課題】
【０００６】
しかしながら、こうした高硬度のボルトを従来のダイスで製造すると、ダイスにチッピング（欠け）が発生してしまったり、加工歯が変形してしまったりする不具合が早期に発生するため、ダイスの寿命が非常に短くなるという問題が生じる。
【０００７】
本発明は、高硬度の母材を塑性変形加工してもダイスを長期にわたって使用できる転造加工装置を提供することを目的とする。
【課題を解決するための手段】
【０００８】
本発明は、ワークを少なくとも一対のダイスによって挟圧して塑性変形させる転造加工装置であって、基台と、前記一対のダイスと、を備え、前記基台に前記一対のダイスが取り付けられて、前記基台に前記一対のダイスが保持されており、前記一対のダイスのうち、少なくとも一方には、前記ワークを挟圧する方向である挟圧方向に交わる第一の面が形成されており、前記基台には、前記一対のダイスが保持された保持状態で前記第一の面に対向する第二の面が形成されており、前記保持状態で、第一の面と前記第二の面との間には、イソシアネート成分とポリアミン成分とを含む樹脂からなるシート部が介在してなり、前記挟圧方向に交わる方向に沿って一対のダイスが互いに相対移動することを特徴とする転造加工装置である。
【０００９】
かかる構成にあっては、ボルト等のワークを転造加工するにあたってダイスにかかる大きな圧をイソシアネート成分とポリアミン成分とを含む樹脂からなる、いわゆるポリウレア樹脂のシート部が受けることによって加工時に発生する衝撃を吸収する。具体的には、ポリウレア樹脂は耐衝撃性に優れ、ダイスにかかる圧を好適に分散してダイスのチッピング（欠け）を抑制する。
【００１０】
ここで、転造加工における一対のダイスにあっては、ワークを挟圧する方向に多大な負荷が付与された状態で固定側ダイスに対して移動側ダイスが所定の移動方向に沿って往復動する。このため、上述のシート部には、ワークを挟圧することで生ずる当該シート部の厚み方向に沿った負荷に対して衝撃吸収効果を発揮すると共に、ダイスの移動に伴って生ずる当該移動方向に沿った負荷に対しても衝撃吸収効果を発揮するものと推定される。したがって、上述した所要の位置にシート部が配置されることで、転造時に発生するダイスに付与される複数種の負荷が総合的に緩和されて、転造ダイスの寿命が向上することとなる。
【００１１】
さらに、前記シート部のシート厚が２ｍｍ以上４ｍｍ以下である構成が提案される。
【００１２】
かかる構成とすることにより、前記シート部のシート厚を適切なものとすることができる。例えば、シート部のシート厚が２ｍｍに満たないと、ダイスにかかる負荷を十分に緩和することができず、ダイスの長寿命化を図ることが困難となる。また、シート部のシート厚が４ｍｍを越えると、ワークに対して転造圧を十分に加えることができず、ねじ山が十分に立ち上がらなくなり、加工精度が低下してしまう。
【発明の効果】
【００１３】
本発明は、ダイスの寿命を長くすることができる優れた効果がある。
【図面の簡単な説明】
【００１４】
【図１】転造加工装置の斜視図である。
【図２】転造加工装置の部分分解斜視図である。
【図３】転造加工装置の部分分解斜視図である。
【図４】（ａ）はシート厚とダイス寿命との関係を示す図表であり、（ｂ）はシート部の有無とダイス寿命との関係を示す図表である。
【発明を実施するための形態】
【００１５】
以下、本発明の転造加工装置を具体化した実施例を詳細に説明する。なお、本発明は、下記に示す実施例に限定されることはなく、適宜設計変更が可能である。
【００１６】
図１〜図３に示すように、転造加工装置１は、基台１０上に直方体形状を有した一対のダイス１１，２１が取り付けられている。
【００１７】
さらに詳述すると、前記基台１０は、設置面（図示省略）に載置される固定側基台部１０ａと、固定側基台部１０ａに対して片持ち状に支持されて往復移動する移動側基台部１０ｂとを備えている。
【００１８】
そして、固定側基台部１０ａに固定ダイス１１が取り付けられ、移動側基台部１０ｂに移動ダイス２１が取り付けられる。このとき、各ダイス１１，２１の表面に形成された転造面１２，２２が対向する。
【００１９】
そして、転造加工装置１は、転造面１２，２２間にワークＷを挟持し、ワークＷを挟圧しつつダイス２１を転造面に沿って移動させることでワークＷを転造加工する。
【００２０】
ここで、固定ダイス１１は、固定側基台部１０ａに対して別部材であるライナー４０を介してネジ固定されている。したがって、固定ダイス１１において転造面１２と平行な裏面（第一の面）１３と、ライナー４０の受け面（第二の面）４１とが対向しており、前記裏面１３と前記受け面４１との間にシート形状（薄厚状）のシート部３０が介在されている。
【００２１】
シート部３０は、イソシアネート成分とポリアミン成分とを含む樹脂からなる、いわゆるポリウレア樹脂によって構成されている。ポリウレア樹脂は耐衝撃性に優れ、転造加工におけるダイスにかかる圧を好適に分散することができる。ここで、ダイス１１，２１にかかる負荷は、ワークＷを挟圧する挟圧負荷に限られず、移動ダイス２１の移動方向に沿って固定ダイス１１が受ける剪断方向の負荷も含むものである。
【００２２】
ここで、ワークであるＭ１０のボルトを転造加工する場合にあって、シート部３０の厚み（シート厚）を変えてダイス１１，２１がチッピング等によって使用不可能となるまでの寿命を調査した結果を図４（ａ）に示す。なお、シート部３０の材料はポリウレア樹脂を用いた。
【００２３】
図４（ａ）における表において、寿命は、ダイス１１，２１のいずれか、又は両方にチッピングが発生するまでに加工したワークの数を示す。
ワーク形状は、加工されたワークの形状を示し、下記のように表現した。
◎は従来形状と変わらず問題なく使用できる。
×はボルトの山が正確に形成できず、製品として使用できない。
【００２４】
図４（ａ）に記載される表に示すように、シート部３０を備えることによってダイスの寿命が格段に向上し、特にシート部３０の厚みが２ｍｍ以上になるとダイスの寿命が大幅に延びることがわかる。また、シート部３０の厚みが４ｍｍを越えると、寿命としては延長されるが、加工されたワークが正しく成形されず、製品としての使用に向かなくなってしまう。これはシート部３０の緩衝効果が過剰となり、適正な転造圧が得られないことによるものと思われる。以上のことから、本実施例におけるシート部３０の厚みは２ｍｍ以上４ｍｍ以下が適切であることがわかる。
【００２５】
また、以下の試験結果が得られた。試験結果を図４（ｂ）に示す。
試験条件：
ワーク：Ｍ８×Ｐ１．０（ネジ長さ２０ミリ）
強度区分：１６．９（ＨＲＣ４８〜４９）
機種：平ダイス式転造機ＴＨＩ−１２ＡＬ（株式会社三明製作所製：固定ダイス長さ３７０ｍｍ、移動ダイス長さ３９０ｍｍ）
シート部の厚み：３ｍｍ
【００２６】
図４（ｂ）に記載される表に示すように、シート部３０を配置することにより、特異な強度区分：１６．９（ＨＲＣ４８〜４９）においても、命数が約４５％程度も向上することが確認された。
【００２７】
本発明にあって、各部の寸法形状は適宜自由に選択可能である。
また、固定ダイス１１だけでなく、移動ダイス２１側にもシート部３０が設けられていても構わない。また、シート部３０は、ライナー４０を用いて配置する構成に限られず、ダイス１１，２１に直接配置する構成としても勿論よい。ただし、ダイス１１，２１の傷付き防止の観点から、ライナー４０を使用した方が望ましい。
【符号の説明】
【００２８】
１            転造加工装置
１０          基台
１１          固定ダイス
１２，２２    転造面
１３          裏面（第一の面）
２１          移動ダイス
３０          シート部
４１          受け面（第二の面）
【要約】
【課題】ダイスを長期にわたって使用できる転造加工装置を提供する。
【解決手段】転造加工装置１は、一対のダイス１１，２１と、一対のダイス１１，２１を保持する基台１０と、を備え、一対のダイス１１，２１のうち、一方のダイス１１には、挟圧方向に交わる裏面が形成されており、この裏面と、別体であるライナー４０に形成された受け面４１との間に、イソシアネート成分とポリアミン成分とを含む樹脂からなるシート部３０が介在している。
【選択図】図１【図１】
0006879607.tif 000002
【図２】
0006879607.tif 000003
【図３】
0006879607.tif 000004
【図４】
0006879607.tif 000005